(57)【要約】【課題】 高齢者の生活活動能力を高めるために行う運動指導の現場においてより効果的な運動指導を可能にする運動指導支援システムを提供することを目的とする。 【解決手段】指導対象者の個人基本データ、体力測定を含む健診データ、運動履歴データに加えて、画像データ入力部７００および画像データ蓄積部８００および動画像切り出し部１１００を備えることにより、指導対象者の立位姿勢および歩行姿勢の画像を管理しわかり易い形で閲覧できるようにした。その結果、運動指導の効果をより適確に確認できるようになり、効果的な運動指導を可能にする。 【選択図】 図１
2007334381.tif 000002
【特許請求の範囲】
【請求項１】
運動支援対象となる一以上の個人を管理することによって、前記個人に対する運動指導を支援するための運動支援システムであって、
前記個人についての体力測定の結果を、測定した日に対応させて、健診結果データとして蓄積する健診結果データ蓄積手段と、
前記個人を撮影した画像を、撮影した日に対応させて、画像データとして蓄積する画像データ蓄積手段と、
前記健診結果データ及び／又は前記画像データを表示させたい個人を指定するための個人指定手段と、
前記個人指定手段によって指定された個人に対応する前記健診結果データ及び前記画像データを取得して、前記健診結果データに含まれる情報と前記画像データが示す画像とが比較できるように、前記情報と前記画像とを時系列に表示する表示処理手段とを備えることを特徴とする、運動指導支援システム。
【請求項２】
前記表示手段は、ユーザーの指示に基づいて、前記健診結果データに含まれる情報と前記画像データが示す画像とを切り替えることによって、前記健診結果データに含まれる情報と前記画像データが示す画像とが比較できるよう表示することを特徴とする、請求項１に記載の運動支援システム。
【請求項３】
前記表示手段は、前記健診結果データに含まれる情報と前記画像データが示す画像とを並べて表示することによって、前記健診結果データに含まれる情報と前記画像データが示す画像とが比較できるよう表示することを特徴とする、請求項１に記載の運動指導支援システム。
【請求項４】
前記表示手段は、前記画像データが示す画像の背景に、複数の垂直線及び／又は水平線を表示することを特徴とする、請求項１に記載の運動支援システム。
【請求項５】
前記個人が運動した運動履歴を、運動した日に対応させて、運動履歴データとして蓄積する運動履歴蓄積手段を更に備え、前記表示手段は、前記健診結果データに含まれる情報と前記画像データが示す画像と前記運動履歴データに含まれる情報とが比較できるよう表示することを特徴とする、請求項１に記載の運動指導支援システム。
【請求項６】
前記画像データ蓄積手段により蓄積された画像データが動画像を示す場合、使用者が前記画像データの示す動画像を見ながら時間軸上の任意の位置で静止画として画像を切り出すための動画像切り出し手段を更に備えることを特徴とする、請求項１に記載の運動指導支援システム。
【請求項７】
運動支援対象となる一以上の個人を管理することによって、前記個人に対する運動指導を支援するためのコンピュータで実行されるプログラムであって、前記コンピュータを、前記個人についての体力測定の結果を、測定した日に対応させて、健診結果データとして蓄積する健診結果データ蓄積手段と、
前記個人を撮影した画像を、撮影した日に対応させて、画像データとして蓄積する画像データ蓄積手段と、
前記健診結果データ及び／又は前記画像データを表示させたい個人を指定するための個人指定手段と、
前記個人指定手段によって指定された個人に対応する前記健診結果データ及び前記画像データを取得して、前記健診結果データに含まれる情報と前記画像データが示す画像とが比較できるように、前記情報と前記画像とを時系列に表示する表示処理手段として機能させるためのプログラム。
【発明の詳細な説明】
【技術分野】
【０００１】
本発明は、高齢者等の健康維持、増進のための運動指導を支援する運動指導支援システムに関するものである。
【背景技術】
【０００２】
高齢者に対する運動指導は、生活機能の低下の防止あるいは向上に効果があり、生活機能をあげることで高齢者の生活の質を向上させ、社会的な負担軽減にも繋がるため、多くの場所で実践されている。高齢者の場合は特に、指導対象者個人ごとに健康状態や身体能力の個人差が大きいため、健康状態および身体能力を把握するための体力測定を含む検診を行なって個人に合う運動プログラムを個別に作成し指導することが肝要である。また、運動指導により運動を実施した場合の効果も個人差が大きく指導内容によっては運動が逆効果になる場合もあるので、指導中も適宜健診を行い、指導内容が適切であるかをチェックすることも必要である。また、運動対象者の運動への意識付けを行うために、運動の効果をわかりやすい形で見せることも重要である。これらの理由により、個人毎の健診結果のデータや運動の履歴を記録蓄積し運動指導を支援するようなシステムが考案、利用されている。
【０００３】
例えば、健診の結果情報を入力する健診履歴情報入力手段と、運動の実施内容を示す情報を入力する運動履歴情報入力手段と、２つの情報の同一人物のデータを結びつける突合せ手段と、この情報を保存する健診・運動履歴情報データベースと、個人の健康状態に関する情報を入力する個人健康状態入力手段と、健診・運動履歴情報データベースを検索する履歴情報検索手段と、検索結果を出力する個人情報出力手段を有することで、運動指導対象者に対してより強い意識付けができる情報を提供し、指導者が運動指導対象者に対する効果的な運動プログラムを作成できるようにする運動支援システムが考案されている。（特許文献１参照）。
【特許文献１】特開２００５−３５２６２７号公報
【発明の開示】
【発明が解決しようとする課題】
【０００４】
上記した特許文献１に記載のシステムでは、個人の身体状態や運動指導の効果を計る指標として健診結果データを利用している。しかし、指導対象者への運動指導の効果を把握できない場合があり運動指導に利用するには不十分であるという問題があった。また、指導対象者への意識付けへの利用でも指導効果をわかり易い形で見せることが出来ないという問題があった。
【０００５】
運動指導の効果が把握できない理由であるが、健診の項目は、運動指導の効果を計る指標として一般的には、筋力、瞬発力、持久力、柔軟性、敏捷性、平衡性等の体力要素別の測定をおこなうが、運動指導の目的はこれらの要素別の体力を向上させることではなく、例えば歩行能力の向上等、生活能力の向上に繋がる事が目的である。例えば筋力について見れば、健診で筋力を測る際に測定される握力や脚筋力が対象とする筋肉と、歩行能力の向上のために鍛えるべき筋肉の場所が異なることより実際に歩行で役立つ筋肉を評価できていない問題があった。また、歩行能力を向上させるためには筋力の向上も必要であるが、筋力以外の平衡性や柔軟性など総合的な身体能力のバランスが重要である。運動指導ではそれらを生活能力向上のために訓練し整えていくが、特に高齢者においては、一つ一つの体力要素の能力はそれほど変化しなくても、歩行能力等、生活能力が向上するという場合が多い。また、10mの距離を歩行する時間を測定するなど歩行能力そのものを計測する場合もあるが、歩行に問題がある指導対象者の場合は歩行時間の差に表れるまでの運動指導が重要な場合が多くその間は歩行能力の差としては表れにくい。上記理由により健診結果データによる運動指導の効果の把握には限界があった。
【０００６】
また、運動指導の効果を計る指標として使用する検診結果のデータは、上記に列挙したような体力要素別の測定データであり、主に数値で表されるデータである。これまでの同様のシステムでは、数値を評価値で表したり、変化の推移を折れ線グラフで表したり、それぞれのバランスを見やすいようにレーダーチャートグラフで表したりすることで直感的に判断し易いように工夫していたがそれでも運動指導による効果を把握しにくい点があった。
【０００７】
上述した問題を鑑み、運動指導の効果を適確にわかり易い形で表すことにより、より効果的な運動指導を可能にする運動指導支援システムを提供することを目的とする。
【課題を解決するための手段】
【０００８】
上記目的を達成するために、本発明の運動指導支援システムは、運動支援対象となる一以上の個人を管理することによって、前記個人に対する運動指導を支援するための運動支援システムであって、前記個人についての体力測定の結果を、測定した日に対応させて健診結果データとして蓄積する健診結果データ蓄積手段と、前記個人を撮影した画像を、撮影した日に対応させて画像データとして蓄積する画像データ蓄積手段と、前記健診結果データ及び／又は前記画像データを表示させたい個人を指定するための個人指定手段と、前記個人指定手段によって指定された個人に対応する前記健診結果データ及び前記画像データを取得して、前記健診結果データに含まれる情報と前記画像データが示す画像とが比較できるように、前記情報と前記画像とを時系列に表示する表示処理手段とを備えるものである。
【０００９】
前記表示手段は、ユーザーの指示に基づいて、前記健診結果データに含まれる情報と前記画像データが示す画像とを切り替えるか、並べて表示することによって、前記健診結果データに含まれる情報と前記画像データが示す画像とが容易に比較できることが好ましい。
【００１０】
また、前記表示手段は、前記画像データが示す画像の背景に、複数の垂直線及び／又は水平線を表示することが好ましい。
【００１１】
更に、前記個人が運動した日、内容を示す運動履歴を、運動した日に対応させて、運動履歴データとして蓄積する運動履歴蓄積手段を備え、前記表示手段は、前記健診結果データに含まれる情報と前記画像データが示す画像と前記運動履歴データに含まれる情報とが比較できるよう表示することが好ましい。
【００１２】
加えて、前記画像データ蓄積手段により蓄積された画像データが動画像を示す場合、使用者が前記画像データの示す動画像を見ながら時間軸上の任意の位置で静止画として画像を切り出すための動画像切り出し手段を更に備えることが好ましい。
【発明の効果】
【００１３】
運動対象者の立位姿勢や歩行姿勢は、運動指導をはじめた比較的初期においても運動指導の効果や痛み等不具合の効果が姿勢の違いとして現れやすい。本発明によって運動指導の経過にともなって姿勢画像を入力、蓄積し時系列に比較できるようになったため、例えば検診データでは身体能力の変化が数値の違いとして現れていない場合でも立位姿勢の画像では膝の曲がり具合が改善されていたり、背筋が伸びている等、向上の結果が現れる場合がある。また、歩行姿勢の画像から歩行の癖を発見することにより膝の痛みが増した事が分かり、指導内容の見直しに繋がる場合もある。このように従来の同様のシステムでわからなかった指導対象者の身体状況がわかり、運動指導の効果の的確に把握できる。
【００１４】
また、検診結果と姿勢画像を切り替え可能にしたり、並べて表示することで、より簡易・正確に指導対象者の身体状況を確認することが可能になった。
【００１５】
さらに、画像に水平線または垂直線または格子模様を合成することにより、個人の姿勢の、背中の曲がり具合、脚の曲がり具合などの特徴がより把握しやすく、また画像間の変化もより正確に把握できるようになった。
【００１６】
さらに、運動した日、内容を示す運動履歴をも入力、蓄積できるようにすることにより、運動指導内容と健診結果、画像との比較が可能になり、より運動指導の効果の把握を助ける効果がある。
【００１７】
また、歩行姿勢については静止画像よりも動画像の方が歩行方法の欠点や運動効果がわかりやすいという特徴があるが、動画像は画面でなければ閲覧できず、紙には印刷できないという欠点がある。動画像切り出し手段を備えることにより、入力された動画像や既に蓄積された動画像から時間軸上の任意の位置で静止画像を切り出し蓄積保管することができるので、指導者が動画像を見ながら、指導対象者に見せることが適当と考える位置で画像を切り出し、静止画像として蓄積し個人履歴データとして印刷して指導対象者に渡すことができる。
【００１８】
上記の効果により、運動指導の効果を適確にわかり易い形で表すことにより、より効果的な運動指導を可能にする運動指導支援システムを提供することを目的とする。
【発明を実施するための最良の形態】
【００１９】
以下図面を用いて本発明を詳しく説明する。本発明による運動指導支援システムは、指導者が、高齢者に介護予防など生活機能向上を目的として運動指導を行う時に、立位姿勢や歩行姿勢の静止画像および動画像を記録し閲覧して運動の履歴や検診結果と比較することで指導対象者の向上の度合いの状況をより的確に把握してより効果的な運動指導ができるように支援するためのものである。
【００２０】
図１に本発明の論理的な構成を示す。指導対象者の氏名、生年月日など個人を特定するための情報を入力するための個人基本データ入力部とその情報を蓄積するための個人基本データ蓄積部と、体力測定結果など検診結果を入力するための検診結果入力部と、その情報を測定した日に対応させて検診結果データとして蓄積するための検診結果データ蓄積部と、指導対象者が運動指導によって運動した日、内容を入力するための運動履歴データ入力部と、その情報を運動した日に対応させて運動履歴データとして蓄積するための運動履歴データ蓄積部と、指導対象者の立位姿勢および歩行姿勢を撮影した画像を本システムに入力するための画像データ入力部と、その画像を撮影した日に対応させて画像データとして蓄積するための画像データ蓄積部と、蓄積された画像データが動画像を示すデータの場合、その動画像から時間軸上の任意の位置で静止画として画像を切り出すための動画像切り出し部と、蓄積された検診結果データ、画像データから表示させたい個人を選択するための個人指定部と、指定された個人の情報を表示するための表示処理部とから成る。
【００２１】
図２に本発明の一実施例のハードウェアの構成を示す。図１の各手段は図２のハードウェアにおいてプログラムを実行することで実現される。本発明は、以下に示すようにプログラムで実現しても良いし、専用のハードウェアで実現しても良い。
【００２２】
まず、ハードウェアの各部について説明する。ＣＰＵ１１は内部に演算部、カウンタ、レジスタ等を持ち、プログラムに従って動作を司るこのシステムの中心的な部分である。ＲＯＭ１２、ＲＡＭ１３、Ｉ／Ｆ１４、Ｉ／Ｆ１７、Ｉ／Ｆ１９、Ｉ／Ｆ２１、Ｉ／Ｆ２３、Ｉ／Ｆ２４、Ｉ／Ｆ２６、Ｉ／Ｆ２８はバスと呼ばれる信号線により接続される。
【００２３】
ＲＯＭ１２は読み出し専用のメモリで、起動時に磁気ディスク装置HDD１５から主プログラムを読み込むための起動プログラムやハードウェアを制御するための基本プログラムおよびＣＲＴ２５の画面に文字を表示するときの文字図形データなど固定のデータを保管するのに使用される。
【００２４】
ＲＡＭ１３は通常メモリでデータの一時記憶に使用される。
【００２５】
磁気ディスク装置HDD１５は不揮発性の大容量記憶装置で主プログラムや永続記憶の必要のあるデータの格納に使用される。Ｉ／Ｆ１４、バスを経由してＣＰＵに接続される。
【００２６】
ＫＢＤ１６は文字、数字、記号の１００個程度のキーからなるキーボード装置でオペレーターが本システムを操作したり文字を入力するために使用する。Ｉ／Ｆ１７、バスを経由してＣＰＵ１１に接続される。
【００２７】
マウス装置ＭＳ１８は机の上をすべらせることが出来るようになっておりＣＰＵ１１に移動された量を２次元の相対移動距離で知らせることができる。またボタンを有しておりボタンが押されたことをＣＰＵ１１に伝える働きもある。これはＣＲＴ２５の画面と協調して画面上の位置をオペレーターが指示するために使用される。例えば画面上の選択項目を選択する場合に使用する。Ｉ／Ｆ１９を経由してバスでＣＰＵ１１に接続される。
【００２８】
デジタルスチルカメラＤＳＣ２０は指導対象者の立位姿勢および歩行姿勢を撮影するためのカメラで、静止画像をＪＰＥＧ形式の静止画像ファイルとして保存することができる。撮影時は本システムから独立して使用し、Ｉ／Ｆ２１を経由して本システムに接続することにより保存した静止画像ファイルをＣＰＵ１１の制御によりHDD１５に転送して記録することができる。
【００２９】
デジタル動画カメラＤＶＣ２２は指導対象者の歩行姿勢を撮影するためのカメラで動画像をＭＰＥＧ２形式のファイルで保存することができる。撮影時は本システムから独立して使用し、Ｉ／Ｆ２３を経由して本システムに接続することにより保存した動画像ファイルをＣＰＵ１１の制御によりHDD１５に転送して記録することができる。
【００３０】
ディスプレー装置ＣＲＴ２５は、画面を持ち画像情報により操作指示や結果データなどをオペレーターに伝達する。また、ＫＢＤ１６およびＭＳ１８と連携してオペレーターが情報を入力したり選択等、指示を行うために使用される。Ｉ／Ｆ２４を経由してバスでＣＰＵ１１に接続され、画面の内容はＩ／Ｆ２４の画面領域のデータを変更することで書き換えることが可能である。
【００３１】
印刷装置ＰＲＮ２７は指導対象者に渡すための情報を印刷するためのものである。Ｉ／Ｆ２６、バスを経由してでＣＰＵ１１に接続され、ＣＰＵ１１からの指令により印刷する。
【００３２】
カレンダ装置ＣＬＤ２９は現在日時を知るための装置である。Ｉ／Ｆ２８、バスを経由してＣＰＵ１１に接続されＣＰＵ１１から現在日時を読み出すことができる。
【００３３】
図３は本システムの全体の流れを示している。まず初期化処理が行われる。ＣＰＵ１１は内部のカウンタ、レジスタ等を初期化してＲＯＭ１２に格納された起動プログラムを実行する。起動プログラムはHDD１５より本システムの主プログラムをＲＡＭ１３上に読み出した後、ＲＡＭ１３上の主プログラムを実行する（Ｓ１）。次にオペレーターに処理を選択させるためのメニュー画面（図１５）をＣＲＴ２５に表示する（Ｓ２）。メニュー画面（図１５）では「新規登録」および「個人データ処理」、「システム終了」の３個のボタン画像が配置されており、オペレーターがどれかのボタンを選択したかどうかを調べる（Ｓ３）。「新規登録」のボタンが選択されたかどうか調べ（Ｓ４）、「新規登録」のボタンが選択された場合は新規登録処理を実行し、処理が終わればＳ３に戻る（Ｓ５）。「個人データ処理」が選択されたかどうか調べ（Ｓ６）、「個人データ処理」が選択された場合は個人データ処理を実行し。処理が終わればＳ３に戻る（Ｓ７）。「システム終了」が選択されたかどうか調べ（Ｓ８）、「システム終了」が選択された場合は、システムを終了する。どのボタンも選択されなかった場合はＳ３に戻る（Ｓ８）。
【００３４】
図４は新規登録処理の動作の流れを示している。新規登録とは新しい運動対象者をこのシステムに登録することであり、個人の基本データを入力することで行う。まず新しい運動対象者の個人番号を自動的に割り当てる（Ｓ９）。割り当てる方法は例えば、現在までに登録された個人番号の最大のものに１を加算したものを新しい運動対象者の個人番号とする方法がある。次に氏名、性別、生年月日、連絡先からなる基本データを入力するための個人基本データ入力画面（図１６）をＣＲＴ２５の画面に表示する（Ｓ１０）。オペレーターは画面上の各入力エリアをＭＳ１８を使用して選択し、ＫＢＤ１６より情報を文字で入力する。入力された文字はＲＡＭ１３に保持され同時にＣＲＴ２５に表示される（Ｓ１１）。また、入力されている間、画面に表示されたボタンが選択されたかどうか調べる（Ｓ１１）。「キャンセル」が選択されたかどうか調べ、選択された場合は新規登録処理を中止し図３のＳ３に戻る（Ｓ１２）。次に「登録」が選択されたかどうかを調べ、「登録」が選択されていない場合はＳ１１に戻り入力処理を継続する（Ｓ１３）。「登録」が選択された場合は必須事項がすべて入力されているかどうかを調べる（Ｓ１４）。必須事項は個人を特定するための氏名と検診の評価に必要な性別、生年月日である。必須事項で未入力の項目があればＳ１１に戻り入力を継続する。Ｓ９からＳ１４で個人データ入力部を構成する。必須事項がすべて入力されていれば、個人基本データ入力画面で入力された個人基本データ蓄積部すなわち個人基本データをHDD１５上に構成されたデータベースに登録する。登録する形式は図２９に示すとおりである（Ｓ１５）。
【００３５】
図５は個人データ処理の流れを示している。まず登録されている運動対象者から処理する個人を選ぶ必要があるため、個人基本データ蓄積部に蓄積された個人の個人番号、氏名、登録日および生年月日とＣＬＤ２９からの現在日時より算出して求められた年齢を一覧にして表示する、個人一覧画面（図１７）をＣＲＴ２５の画面に表示する（Ｓ１６）。つぎに処理対象の個人が選択されるのを待つ。選択は処理対象者の情報が表示されている行をＭＳ１８で指示することで行う（Ｓ１７）。もし、画面に登録者が表示しきれない場合は画面上の「ページ切り替え」のボタンへの指示により別の一覧の表示に切り替える。また大量の人数が登録されていた場合一覧画面から希望する個人を見つけるのに非常に手間がかかる事への対応として検索処理機能がある。これは氏名、登録日等で検索し個人の一覧を少数に絞り込む機能である。この検索処理の方法については本システムのようなデータベースを構成したものでは周知であるので説明は省略する。個人が選択されず「戻る」が選択された場合は個人データ処理を終了して図３のＳ３へに戻る（Ｓ１８）。個人が選択されるか上記「戻る」が選択されるまでＳ１７からＳ１９を繰り返す（Ｓ１９）。上記Ｓ１６からＳ１９は個人指定部の動作となる。
【００３６】
次に個人データ処理画面（図１８）をＣＲＴ２５に表示する。個人データ処理画面は上記選択された個人の個人番号、個人基本データ蓄積部から個人番号をキーにして引き出された氏名、性別、生年月日および、生年月日とＣＬＤ２９からの現在日時から求められる年齢が表示され、「検診結果データ入力」「運動履歴データ入力」「画像データ入力」「動画像切り出し」「個人履歴表示」「処理終了」の６個の処理選択ボタンが配置されている（Ｓ２０）。オペレーターがＭＳ１８を使用していずれかのボタンを選択したかどうかを調べる（Ｓ２１）。「検診結果データ入力」が選択されたかどうかを調べ（Ｓ２２）、選択されていれば検診結果データ入力処理を実行してＳ２１へ戻る（Ｓ２３）。「運動履歴データ入力」が選択されたかどうか調べ（Ｓ２４）、選択されていれば、運動履歴データ入力処理を実行してＳ２１へ戻る（Ｓ２５）。「画像データ入力」が選択されたかどうか調べ（Ｓ２６）、選択されていれば画像データ入力処理を実行してＳ２１へ戻る（Ｓ２７）。「動画像切り出し」が選択されたかどうか調べ（Ｓ２８）、選択されていれば動画像切り出し処理を実行してＳ２１へ戻る（Ｓ２９）。「個人履歴表示」が選択されたかどうか調べ（Ｓ３０）、選択されていれば個人履歴表示処理を実行してＳ２１へ戻る。（Ｓ３１）「処理終了」が選択されたらＳ１６へ戻り、再び個人一覧画面を表示し次の処理対象者の選択に備える。（Ｓ３２）どのボタンも選択されていない場合は、Ｓ２１にもどり処理選択を継続する。
【００３７】
健診は運動指導や指導効果を評価する際参考にするために運動指導前と運動指導期間中に何度か行うもので、本実施例では身体状態に関するものとして身長、体重、体脂肪率、収縮期血圧、拡張期血圧、心拍の項目、また、体力に関するものとして、筋力を測定するための握力、瞬発力を測定するための垂直跳び、持久力を測定するためのＳＳTW（シャトルスタミナウォークテスト）、柔軟性を測定するための長座体前屈、敏捷性を測定するためのステッピング、平衡性を測定するためのファンクショナルリーチの各テスト項目からなる。健診の各項目はそれぞれ測定器を用いて測定し一旦用紙に記録しておき、オペレーターはこの健診結果データ入力画面より本システムに入力する。図６は検診結果データ入力の流れを示している。まず健診結果データ入力画面（図１９）をＣＲＴ２５の画面に表示する（Ｓ３３）。オペレーターは画面上の各入力エリアをＭＳ１８を使用して選択し、ＫＢＤ１６より入力する。入力された文字はＲＡＭ１３に保持され同時にＣＲＴ２５に表示される（Ｓ３４）。入力された項目が体力測定項目かどうか調べる（Ｓ３５）。もし体力測定項目であれば体力測定値の評価を求める。体力測定値の評価は、HDD１５にあらかじめ格納されている評価基準値表から処理対象者と同じ年齢、性別の評価基準値を取り出し（Ｓ３６）、入力されたデータと比較して評価値を求める（Ｓ３７）。評価は１〜５の５段階とする。求めた評価を健診結果データ入力画面の該当位置に表示する（Ｓ３８）。「キャンセル」ボタンが選択されたかどうか調べ（Ｓ３９）、選択された場合は処理を中止して図５のＳ２１へ戻る。また「登録」のボタンが選択されたかどうか調べ（Ｓ４０）、「登録」のボタンが選択された場合はＳ４１へ処理を進め、選択されていない場合は、Ｓ３４へ戻りデータ入力処理を継続する。健診結果データ入力部はＳ３３からＳ４０によって実現される。
【００３８】
健診結果データ入力画面で入力された健診結果データをＨＤＤ１５上に構成されたデータベースに登録する。登録する形式は図３０に示すとおりである。（Ｓ４１）健診結果データ蓄積部はＳ４１によって実現される。
【００３９】
指導対象者が運動を実施する度に、運動日と運動内容の履歴を残すためにオペレーターは本システムに入力し蓄積することが出来る。図７は運動履歴データ入力処理の流れを示している。まず運動履歴データ入力画面（図２０）をＣＲＴ２５の画面に表示する（Ｓ４２）。オペレーターは画面上の各入力エリアをＭＳ１８を使用して選択し、ＫＢＤ１６より入力する。運動内容の運動項目についてはＭＳ１８で指示することにより選択項目が一覧表の形で表示され、選択することで入力が可能である。入力または選択された文字はＲＡＭ１３に保持され同時にＣＲＴ２５に表示される。また運動の程度を表す回数、時間もＫＢＤ１６より入力する（Ｓ４３）。次に画面上の「キャンセル」ボタンが選択されたかどうか調べ、選択された場合は処理を中止して図５のＳ２１へ戻る（Ｓ４４）。また「登録」のボタンが選択されたかどうか調べ、選択された場合はＳ４６へ処理を進め、選択されていない場合は、Ｓ４３へ戻りデータ入力処理を継続する（Ｓ４５）。運動履歴データ入力部はＳ４２からＳ４５によって実現される。
【００４０】
運動履歴データ入力画面で入力された運動履歴データをＨＤＤ１５上に構成されたデータベースに登録する。登録する形式は図３１に示すとおりである（Ｓ４６）。運動履歴データ蓄積部はＳ４６によって実現される。
【００４１】
指導対象者の立位姿勢および歩行姿勢の画像を運動指導の参考にするためオペレーターはデジタルカメラＤＳＣ２０もしくはデジタルビデオカメラＤＶＣ２２で撮影された指導対象者の立位姿勢および歩行姿勢の静止画像もしくは動画像を本システムに取り込み作業を行う。図８は画像入力処理の流れを示している。まず画像データ入力画面（図２１）をＣＲＴ２５の画面に表示する。（Ｓ４７）次に次に画面上のボタンが選択されたかどうかを調べるための入力処理を行う（Ｓ４８）。次に画面上の「参照」ボタンが選択されたかどうかを調べる。「参照」ボタンは、立位姿勢静止画像、歩行姿勢静止画像、歩行姿勢動画像の３個のボタンがある。このうちどれかのボタンが選択されたかどうかを調べ、もし選択されていればＳ５０に進む。また、選択されていなければＳ５６に処理を進める（Ｓ４９）。ＤＳＣ２０またはＤＶＣ２２を本システムに接続すると撮影された画像データが本システムからはファイルとして認識できる。この具体的な方法は、デジタルカメラおよびデジタルビデオカメラをコンピューターに接続する際の方法として周知であるので説明を省略する。画像ファイルの選択は、図２１の画像選択画面を表示して行う。画像選択画面にはＤＳＣ２０または、ＤＶＣ２２の撮影された画像データのファイル名が一覧できる。このファイル名はＤＳＣ２０またはＤＶＣ２２が独自に命名したものであり、一般的に連番の数字が含まれている。また、選択された参照ボタンにより表示するファイルの種類が違い、立位姿勢画像、歩行姿勢静止画像のボタンの場合は静止画像のファイルのみ、歩行姿勢動画像のボタンの場合は動画像のファイルのみを表示する。オペレーターはＭＳ１８で指示することにより画像データのファイルを選択する（Ｓ５０）。そして、選択された画像データのファイルが動画像を示すファイルかどうかを調べる（Ｓ５１）。動画像の場合は選択された動画像のファイルのデータをＤＶＣ２２からＨＤＤ１５に複写し、そのファイル情報をＲＡＭ１３に記憶する（Ｓ５２）。動画像でない場合は静止画像かどうかを調べ、静止画像でない場合はＳ４８に戻る（Ｓ５３）。静止画像の場合は、静止画像ファイルをＲＡＭ１３に展開する。「展開する」とは、静止画像ファイルはＪＰＥＧでエンコードされているので画像に戻すためにデコードを行い、解読されて赤、緑、青のドットデータの集合になったものをＲＡＭ１３上に記録することである（Ｓ５４）。この展開されたデータをＣＲＴ２５に接続されるＩ／Ｆ２４の画面領域に転送することで画面に静止画像が表示される（Ｓ５５）。Ｓ５６では「再生」ボタンが選択されたかどうか調べ（Ｓ５６）、選択された場合は動画像が既に選択されているかどうかを調べる（Ｓ５７）。既に選択されている場合は動画像の再生を開始する。動画像の再生は、動画像の選択時にＲＡＭ１３に保持しているファイル情報をもとにＨＤＤ１５に保管している動画ファイルをファイルの先頭より必要量をＲＡＭ１３に読み出しＭＰＥＧ２のデコードを行い、解読されて赤、緑、青のドットデータの集合になったものをＣＲＴ２５に接続されるＩ／Ｆ２４の画面領域に転送することで画面に画像を表示する。動画は１秒間に３０枚の静止画像から構成される。１秒間に３０回、上記ＨＤＤ１５から画像データファイルの続きから必要量をＲＡＭ１３へ読み出し、デコードと表示を繰り返す事で動画を再生する。なおＨＤＤ１５からＲＡＭ１３へ一度に読み出さず必要量ずつ読み出しているのは動画像のデータは大きい領域を必要とするためＲＡＭ１３の領域が不足する恐れがあるためである（Ｓ５８）。動画像の開始処理が完了したらＳ４８へ戻る。Ｓ５９では「キャンセル」ボタンが選択されたかどうかを調べ、選択されていた場合、画像データ入力処理を中止して図５のＳ２１に戻る。次に「登録」ボタンが選択されているかどうかを調べ（Ｓ６０）、登録ボタンが選択されれば、画像が１枚以上入力されているかどうかを調べ（Ｓ６１）、入力されている場合は登録処理へ移る。１枚も入力されていない場合はＳ４８に戻る。画像データ入力部はＳ４７からＳ６１によって実現される。
【００４２】
画像データ入力画面で入力された画像データをファイルとして図３２で示されるようにファイル名をつけてＨＤＤ１５に保存する。また、画像データの情報をＨＤＤ１５上に構成されたデータベースに図３３に示す形式で登録する（Ｓ６２）。画像データ蓄積部はＳ６２によって実現される。
【００４３】
歩行姿勢は動画像で記録したほうが静止画像よりも動作を確認することが出来るため、指導対象者の歩行の特徴や欠陥がわかり易いという長所があるが画面でのみ確認できるのであって印刷して指導対象者に渡すことができない欠点がある。また、動画を最初から見る必要があり、確認するのに時間がかかるというという欠点もある。動画像切り出し部は上記の欠点を補うためにある。指導者が再生される動画像を見ながら歩行の特徴や欠点がわかり易い時点での画像を切り出して保存する機能である。動画像切り出し処理の流れを図９に示す。まず動画像選択画面を表示する（Ｓ６３）。動画像選択画面は、ＨＤＤ１５に構成されたデータベースの画像データのテーブル（図３３）から既に登録された動画像の一覧を取得し撮影日の一覧として表示するものである（図２３）。オペレーターはＭＳ１８で指示することにより動画像データを選択する。動画像が選択された時、選択された動画像の日付から動画像ファイルを特定しておき、後の処理に備える（Ｓ６４）。動画像が選択されず「戻る」が選択された場合は動画像切り出し処理を終わり図５のＳ２１に戻る（Ｓ６５）。次に切り出し処理画面（図２４）を表示する（Ｓ６６）。図２４の中で「動画像表示エリア」と「切り出し画像エリア」の文字は説明のために描いたもので実際には表示しない。この切り出し処理画面には「再生」「一時停止」「切り出し」「登録」「キャンセル」の各ボタンがあるが各ボタンが選択されたかどうかを調べる（Ｓ６７）。「再生」ボタンが選択されたかどうか調べ（Ｓ６８）、選択された場合は動画像再生開始処理を行う（Ｓ６９）。動画像の再生の方法については上記の画像入力処理と同様である。再生の開始処理が完了すればＳ６７に戻り次の処理選択に備える。Ｓ７０で「一時停止」ボタンが選択されたかどうかを調べ、選択されたならば動画像データの読み込み、ＭＰＥＧ２のデコード、表示のサイクルを停止して動画像再生を一時停止する（Ｓ７１）。画面の動画像表示エリアの画像は「一時停止」ボタンが選択される時点の画像となる。一時停止処理が完了すればＳ６７に戻り次の処理選択に備える。Ｓ７２では「切り出し」が選択されたかどうかを調べ、選択されたならば動画像表示エリアのデータを切り出し画像表示エリアに転送する（Ｓ７３）。切り出し処理が完了すればＳ６７に戻り次の処理選択に備える。Ｓ７４で「キャンセル」ボタンが選択されたかどうかを調べ、選択されたならばＳ６３に戻り次の動画像の選択に備える。最後に「登録」ボタンが選択されたかどうかを調べ（Ｓ７５）、選択されなかった場合はＳ６７へ戻り次の処理の選択に備える。こうしてＳ６７からＳ７５までを「登録」または「キャンセル」のボタンが選択されるまで繰り返す。Ｓ７５で「登録」が選択されていたならば、切り出し画像表示エリアの画像を蓄積する（Ｓ７６）。この画像の蓄積は、切り出し処理画面の切り出し画像表示エリアの画像をＪＰＥＧ形式でエンコードしファイルの形にして歩行姿勢の静止画像として図３２で示されるようにファイル名をつけてＨＤＤ１５に保存する。また、画像データの情報をＨＤＤ１５上に構成されたデータベースに図３３に示す形式で登録する。動画像切り出し部はＳ６３からＳ７６で実現される。
【００４４】
運動指導前や過程で蓄積された各データは個人履歴として画面に表示あるいは印刷されることにより用いられる。個人履歴の表示された画面の例を図２５に示す。個人履歴表示処理の流れを図１０に示す。まず表示中の個人データ処理画面（図１８）から個人番号を取得する（Ｓ７７）。個人履歴として出力すべきデータを得るために以下のようにする。まず、ＨＤＤ１５に構成されたデータベースの個人基本データのテーブル（図２９）より上記の個人番号をキーに検索して当該個人の基本データを取得する（Ｓ７８）。次に同様にＨＤＤ１５に構成されたデータベースの健診結果データのテーブル（図３０）より上記の個人番号をキーに検索して当該個人の健診結果データを最も健診日が新しいものから５件まで取得する（Ｓ７９）。また同様に、ＨＤＤ１５に構成されたデータベースの運動履歴データのテーブル（図３１）から上記の個人番号をキーに検索して当該個人の運動履歴データを最も運動日が新しいものから５件まで取得する（Ｓ８０）。また同様に、ＨＤＤ１５に構成されたデータベースの画像データのテーブル（図３３）より上記の個人番号をキーに検索して当該個人の画像データの情報を画像種別毎に最も撮影日が新しいものから５件まで取得する（Ｓ８１）。以上Ｓ７７からＳ８１は個人指定部の動作であり、図５で説明した個人を選択する部分と合わせて個人指定部を構成する。
【００４５】
次に表示処理部の動作の説明をする。まず、個人履歴表示画面を初期化して、上記Ｓ７８で求めた個人基本データより氏名、生年月日、性別、登録日を表示する。また、生年月日とＣＬＤ２９からの現在日時から年齢を求め表示する（Ｓ８２）。次にＳ７９で求めた健診結果データより健診日、体重、血圧および、筋力、瞬発力、持久力、柔軟性、敏捷性、平衡性の各評価を１行にして最大５行まで検診日の古いものから表示する。この最大値の５行であるが画面の大きさの都合によるものであるので５行にこだわらず画面が大きければ行数が増えても良い。この行数を増やす場合はＳ７９でデータを取得する際の最大件数も調整する（Ｓ８３）。次にＳ８０で求めた運動履歴データより運動日および、運動項目、運動の程度を１行にして運動日の古いものから、最大５行まで表示する。この最大値の５行も上記健診結果データと同様、画面の大きさに応じて行数を調整しても良い（Ｓ８４）。ここまでで個人履歴表示画面が完成する。ただし、立位姿勢画像、歩行姿勢画像の表示は別画面とする。また、個人履歴表示画面には「印刷」「画像表示」「戻る」の３個のボタンが処理選択用として配置されている（図２５）。
【００４６】
どのボタンが選択されたかを知るために処理選択入力を行う（Ｓ８５）。まず、「画像表示」ボタンが選択されたかどうか調べる（Ｓ８６）。選択されていれば画像表示処理を行う（Ｓ８７）。次に「印刷」ボタンが選択されたかどうか調べ（Ｓ８８）、選択されていれば印刷処理を行う（Ｓ８７）。最後に「戻る」ボタンが選択されたかどうか調べ（Ｓ９０）、選択されていれば処理を終了して図５のＳ２１に戻る。選択されていなければＳ８５に戻り個人履歴の表示を継続する。
【００４７】
画像表示処理について説明する。図１１に画像表示処理の流れを示す。また、図２６に画像表示画面の例を示す。まず画像表示画面の初期化を行う（Ｓ９１）。次に、Ｓ８１でデータベースより取得された画像データの情報の中から立位姿勢の画像をＨＤＤ１５から取り出し左から撮影日とともに、日付の古い順に最大５個まで表示する。この５個の制限であるが上記他の項目と同様に画面の領域の問題であるので大きい領域が確保できれば調整しても良い。画像の表示の方法であるが、ＨＤＤ１５にＪＰＥＧファイル形式で保存されている画像データをＲＡＭ１３に読み出す。画像に戻すためにデコードを行い、解読されて赤、緑、青のドットデータの集合になったものをＣＲＴ２５に接続されるＩ／Ｆ２４の画面領域に転送することで行う。この時、デコードが完了した画像のデータ領域に垂直および水平の直線を一定間隔で描画することにより格子画像を画像に重ね合わせて表示する。次に、歩行姿勢の静止画像も同様に行う（Ｓ９２）。次にＳ８１でデータベースより取得された画像データの情報の中から歩行姿勢の動画像の情報を使用して動画像の再生を開始する。動画像の表示エリアは左から日付の古い順に最大５個まで並べ、表示エリアの上に撮影日を表示する。この５個の制限も上記他の項目と同様である。動画像の再生は、上記ファイル情報をもとにＨＤＤ１５に保管している動画ファイルの先頭から必要量をＲＡＭ１３に読み出しＭＰＥＧ２のデコードを行い、解読されて赤、緑、青のドットデータの集合になったものをＣＲＴ２５に接続されるＩ／Ｆ２４の画面領域に転送することで画面に画像を表示する。この時、デコードが完了した画像のデータ領域に垂直および水平の直線を一定間隔で描画することにより格子画像を画像に重ね合わせて表示する。動画は１秒間に３０枚の静止画像から構成される。１秒間に３０回、ＨＤＤ１５からＲＡＭ１３への読み出し、デコード、表示、格子画像描画を繰り返す事で動画を再生する。なおＨＤＤ１５からＲＡＭ１３へ一度に読み出さず必要量ずつ読み出しているのは動画像のデータは大きい領域を必要とするためＲＡＭ１３の領域が不足する恐れがあるためである（Ｓ９３）。この画像表示画面には図２６で示されるよう処理ボタンとして「戻る」と動画毎に、「巻戻」「再生」「停止」が配置されている。これら処理選択がされたかどうか知るために処理選択入力処理を行う（Ｓ９４）。まず「再生」が選択されたかどうか調べ（Ｓ９５）、選択されていれば選択されたボタンの位置の動画が現在再生中かどうかを調べ再生中でなければ再生を開始しＳ９４に戻る（Ｓ９６）。次に「停止」が選択されたかどうか調べ（Ｓ９７）、選択されていれば選択されたボタンの位置の動画が現在再生中かどうかを調べ再生中であれば当該動画像データの読み込み、ＭＰＥＧ２のデコード、表示、格子画像の描画のサイクルを停止して動画像再生を一時停止しＳ９４に戻る（Ｓ９８）。当該動画像表示エリアの画像は「停止」ボタンが選択された時点の画像となる。次に「巻戻」が選択されたかどうか調べ（Ｓ９９）、選択されていれば選択されたボタンの位置の動画が現在再生中かどうかを調べ、再生中であれば当該動画像データのファイルからの読み出し位置を強制的に最初に戻すことにより動画像の最初から再生するようにする巻き戻し処理を行いＳ９４に戻る（Ｓ１００）。最後に「戻る」ボタンが選択されたかどうか調べ、選択されていない場合はＳ９４に戻り動画再生を続けながら処理の選択を待つ（Ｓ１００）。「戻る」が選択された場合、再生中の全ての動画を中断し（Ｓ１０３）、画像表示処理を終了し図１０のＳ８５に戻る。
【００４８】
上記のように個人履歴に姿勢画像を表示することにより、例えば、図２５に示すように、体力の推移のグラフを見ても２００６年１月１５日と同２月２０日の評価値の比較では、敏捷性のみ評価値が向上しており筋力や平衡性などは変化しておらず運動指導の効果が判定できないが、図２６の立位姿勢の画像で同１月１５日と同２月２０日を比較すると膝の曲がり方、背中の曲がり方で向上しているのが見え、運動指導の効果がわかり易くなっていることが分る。
【００４９】
個人履歴表示処理で「印刷」ボタンが選択されたときの印刷処理について図１２で説明する。また印刷例を図２７で示す。まず印刷処理の初期化を行う（Ｓ１０４）。印刷処理はＲＡＭ１３に印刷内容をすべて設定しておいて最後にＰＲＮ２７のプリンタ装置に書き出ことで行うため、ＲＡＭ１３の印刷に使用する領域を確保、初期化する。次に上記Ｓ７８で求めた個人基本データより氏名、生年月日、性別、登録日を設定する。また、生年月日とＣＬＤ２９からの現在日時から年齢を求め、設定する（Ｓ１０５）。次にＳ７９で求めた健診結果データより健診日、体重、血圧および、筋力、瞬発力、持久力、柔軟性、敏捷性、平衡性の各評価を１行にして最大５行まで設定する。この最大値の５行であるが印刷用紙の大きさの都合によるものであるので５行にこだわらず印刷用紙が大きければ行数が増えても良い。この行数を増やす場合はＳ７９でデータを取得する際の最大件数も調整する（Ｓ１０６）。次にＳ８０で求めた運動履歴データより運動日および、運動項目、運動の程度を１行にして最大５行まで設定する。この最大値の５行も上記健診結果データと同様、印刷用紙の大きさに応じて行数を調整しても良い（Ｓ１０７）。次に、Ｓ８１でデータベースより取得された画像データの情報を元に立位姿勢の画像をＨＤＤ１５から取り出し、左から撮影日とともに、日付の古い順に最大５個まで設定する。この５個の制限であるが上記他の項目と同様に印刷用紙の大きさの都合によるものであるので用紙の大きさに応じて調整しても良い。画像の設定の方法であるが、ＨＤＤ１５にＪＰＥＧファイル形式で保存されている画像データをＲＡＭ１３に読み出す。画像に戻すためにデコードを行い、解読されて赤、緑、青のドットデータの集合になったものをＲＡＭ１３の印刷用に確保したエリアに転送することで行う。この時、デコードが完了した画像のデータ領域に垂直および水平の直線を一定間隔で描画することにより格子画像を画像に重ね合わせておく。また、歩行姿勢の静止画像も同様に行う。（Ｓ１０８）。この歩行姿勢の画像は、上記動画像切り出し処理で切り出された画像の場合もある。ここまでで印刷すべき項目が設定されているので、ＲＡＭ１３の印刷処理用に確保されたデータエリアからＰＲＮ２７に制御コマンドとともに送ることで印刷が実行される。この印刷機能により、例えば、図２７の印刷例のような個人履歴票を指導対象者に見せて、立位姿勢や歩行姿勢が向上したことを上記のような画像を見せて説明することにより、運動の効果を実感させることができる。
【００５０】
上記個人履歴表示処理では、検診結果データを見る場合と、画像を見る場合とを処理ボタンで切り替え表示していた。これは画面の大きさの制限により両方を一度に表示できないため切り替えていたのであるが、画面の解像度が大きく、多くの情報を表示できる場合は両者を並べて表示しても良い。  両者を並べて表示した例を図２８に示す。またこの場合の個人履歴表示処理の流れを図１３、図１４に示す。
【００５１】
まず表示中の個人データ処理画面（図１７）から個人番号を取得する（Ｓ１１０）。個人履歴として出力すべきデータを得るために以下のようにする。まず、ＨＤＤ１５に構成されたデータベースの個人基本データのテーブル（図２９）より上記の個人番号をキーに検索して当該個人の基本データを取得する（Ｓ１１１）。次に同様にＨＤＤ１５に構成されたデータベースの健診結果データのテーブル（図３０）より上記の個人番号をキーに検索して当該個人の健診結果データを最も健診日が新しいものから５件まで取得する（Ｓ１１２）。また同様に、ＨＤＤ１５に構成されたデータベースの運動履歴データのテーブル（図３１）より上記の個人番号をキーに検索して当該個人の運動履歴データを最も運動日が新しいものから５件まで取得する（Ｓ１１３）。また同様に、ＨＤＤ１５に構成されたデータベースの画像データのテーブル（図３３）より上記の個人番号をキーに検索して当該個人の画像データの情報を画像種別毎に最も撮影日が新しいものから５件まで取得する（Ｓ１１４）。以上Ｓ１１０からＳ１１４は個人指定部の動作であり、図５で説明した個人を選択する部分と合わせて個人指定部を構成する。
【００５２】
次に個人履歴表示画面の初期化を行い、上記Ｓ１１１で求めた個人基本データより氏名、生年月日、性別、登録日を表示する。また、生年月日とＣＬＤ２９からの現在日時から年齢を求め、表示する（Ｓ１１５）。次にＳ１１２で求めた健診結果データより健診日、体重、血圧および、筋力、瞬発力、持久力、柔軟性、敏捷性、平衡性の各評価を１行にして最大５行まで検診日の古いものから表示する。この最大値の５行であるが画面の大きさの都合によるものであるので５行にこだわらず画面が大きければ行数が増えても良い。この行数を増やす場合はＳ１１２でデータを取得する際の最大件数も調整する（Ｓ１１６）。次にＳ１１３で求めた運動履歴データより運動日および、運動項目、運動の程度を１行にして運動日の古いものから、最大５行まで表示する。この最大値の５行も上記健診結果データと同様、画面の大きさに応じて行数を調整しても良い（Ｓ１１７）。
【００５３】
Ｓ１１４でデータベースより取得された画像データの情報の中から立位姿勢の画像をＨＤＤ１５から取り出し左から撮影日とともに、日付の古い順に最大５個まで表示する。この５個の制限であるが上記他の項目と同様に画面の領域の問題であるので大きい領域が確保できれば調整しても良い。画像の表示の方法は前述した方法と同様であるので省略する。また歩行姿勢の静止画像も同様に行う（Ｓ１１８）。次にＳ１１４でデータベースより取得された画像データの情報の中から歩行姿勢の動画像の情報を使用して動画像の再生を開始する。動画像の表示エリアは左から日付の古い順に最大５個まで並べ、表示エリアの上に撮影日を表示する。この５個の制限も上記他の項目と同様である。動画像の再生の方法は前述した方法と同様であるので省略する（Ｓ１１９）。
【００５４】
図２８に例を示すようにこの個人履歴表示画面には「印刷」と「戻る」のボタンと各動画表示エリアの近傍に「巻戻」「再生」「停止」が配置されている。これら処理選択がされたかどうか知るために処理選択入力処理を行う（Ｓ１２０）。まず「再生」が選択されたかどうか調べ（Ｓ１２１）、選択されていれば選択されたボタンの位置の動画が現在再生中かどうかを調べ再生中でなければ再生を開始しＳ１２０に戻る（Ｓ１２２）。次に「停止」が選択されたかどうか調べ（Ｓ１２３）、選択されていれば選択されたボタンの位置の動画が現在再生中かどうかを調べ再生中であれば当該動画像データの読み込み、ＭＰＥＧ２のデコード、表示、格子画像の描画のサイクルを停止して動画像再生を一時停止しＳ１２０に戻る（Ｓ１２４）。当該動画像表示エリアの画像は「停止」ボタンが選択された直後の画像となる。次に「巻戻」が選択されたかどうか調べ（Ｓ１２５）、選択されていれば選択されたボタンの位置の動画が現在再生中かどうかを調べ、再生中であれば当該動画像データのファイルからの読み出し位置を強制的に最初に戻すことにより動画像の最初から再生するようにする巻き戻し処理を行いＳ１２０に戻る（Ｓ１２６）。次に「印刷」のボタンが選択されたかどうか調べ（Ｓ１２７）、選択されていれば印刷処理を行いＳ１２０に戻る（Ｓ１２８）。最後に「戻る」ボタンが選択されたかどうか調べ、選択されていれば処理を終了して図５のＳ２１に戻る。選択されていなければＳ１２０に戻り個人履歴の表示を継続する（Ｓ１２９）。
【００５５】
以上に説明した形態により、運動指導の効果を適確にわかり易い形で表すことが可能になった。このため、より効果的な運動指導を可能にする運動指導支援システムを実現できる。
【産業上の利用可能性】
【００５６】
本発明は運動指導支援システムに関し、特に、立位姿勢および歩行姿勢の画像を管理しわかりやすく表示することにより運動指導の効果を適確に把握し、より効果的な運動指導を行えるように支援するシステムに関する。
【図面の簡単な説明】
【００５７】
【図１】本発明の概略構成図である。
【図２】本発明の一実施例のハードウエアの構成を示すブロック図である。
【図３】本発明の一実施例のメインフローを示すフローチャートである。
【図４】本発明の一実施例の新規登録処理の流れを示すフローチャートである。
【図５】本発明の一実施例の個人データ処理の流れを示すフローチャートである。
【図６】本発明の一実施例の健診結果データ入力処理の流れを示すフローチャートである。
【図７】本発明の一実施例の運動履歴データ入力処理の流れを示すフローチャートである。
【図８】本発明の一実施例の画像データ入力処理の流れを示すフローチャートである。
【図９】本発明の一実施例の動画像切り出し処理の流れを示すフローチャートである。
【図１０】本発明の一実施例の個人履歴表示処理の流れを示すフローチャートである。
【図１１】本発明の一実施例の画像表示処理の流れを示すフローチャートである。
【図１２】本発明の一実施例の印刷処理の流れを示すフローチャートである。
【図１３】本発明の一実施例の個人履歴表示処理（並列表示）の流れを示すフローチャートである。
【図１４】本発明の一実施例の個人履歴表示処理（並列表示）の流れを示すフローチャートの続きである。
【図１５】本発明の一実施例のメインメニューの画面例である。
【図１６】本発明の一実施例の個人基本データ入力画面の画面例である。
【図１７】本発明の一実施例の個人一覧画面の画面例である。
【図１８】本発明の一実施例の個人データ処理画面の画面例である。
【図１９】本発明の一実施例の健診結果データ入力画面の画面例である。
【図２０】本発明の一実施例の運動履歴データ入力画面の画面例である。
【図２１】本発明の一実施例の画像データ入力画面の画面例である。
【図２２】本発明の一実施例の画像ファイル選択画面の画面例である。
【図２３】本発明の一実施例の歩行姿勢動画一覧画面の画面例である。
【図２４】本発明の一実施例の画像切り出し画面の画面例である。
【図２５】本発明の一実施例の個人履歴表示画面の画面例である。
【図２６】本発明の一実施例の画像表示画面の画面例である。
【図２７】本発明の一実施例の印刷帳票の印字例である。
【図２８】本発明の一実施例の個人履歴表示画面（並列表示）の画面例である。
【図２９】本発明の一実施例の個人基本データの蓄積形式の例である。
【図３０】本発明の一実施例の健診結果データの蓄積形式の例である。
【図３１】本発明の一実施例の運動履歴データの蓄積形式の例である。
【図３２】本発明の一実施例の画像ファイル命名規則の例である。
【図３３】本発明の一実施例の画像データの蓄積形式の例である。
【符号の説明】
【００５８】
１００    個人基本データ入力部
２００    個人基本データ蓄積部
３００    検診結果データ入力部
４００    検診結果データ蓄積部
５００    運動履歴データ入力部
６００    運動履歴データ蓄積部
７００    画像データ入力部
８００    画像データ蓄積部
９００    個人指定部
１０００  表示処理部
１１００  動画像切り出し部
【図１】
2007334381.tif 000003
【図２】
2007334381.tif 000004
【図３】
2007334381.tif 000005
【図４】
2007334381.tif 000006
【図５】
2007334381.tif 000007
【図６】
2007334381.tif 000008
【図７】
2007334381.tif 000009
【図８】
2007334381.tif 000010
【図９】
2007334381.tif 000011
【図１０】
2007334381.tif 000012
【図１１】
2007334381.tif 000013
【図１２】
2007334381.tif 000014
【図１３】
2007334381.tif 000015
【図１４】
2007334381.tif 000016
【図１５】
2007334381.tif 000017
【図１６】
2007334381.tif 000018
【図１７】
2007334381.tif 000019
【図１８】
2007334381.tif 000020
【図１９】
2007334381.tif 000021
【図２０】
2007334381.tif 000022
【図２１】
2007334381.tif 000023
【図２２】
2007334381.tif 000024
【図２３】
2007334381.tif 000025
【図２４】
2007334381.tif 000026
【図２５】
2007334381.tif 000027
【図２６】
2007334381.tif 000028
【図２７】
2007334381.tif 000029
【図２８】
2007334381.tif 000030
【図２９】
2007334381.tif 000031
【図３０】
2007334381.tif 000032
【図３１】
2007334381.tif 000033
【図３２】
2007334381.tif 000034
【図３３】
2007334381.tif 000035